(57)【要約】【課題】  コイルばね等の弾性力を不要とすることによって設置時の安全性を高め、且つ装置自体の構成を単純にすることによって設置作業の容易化を図り、更に捕獲対象の害獣のみを高確率で捕獲できる害獣捕獲装置を提供する【解決手段】  本発明の害獣捕獲装置１０は、地面に設けた穴に埋設される筒状部材１２と、筒状部材１２の周縁部に係止される平板状の抜け止め部材１４，１６と、一端側に、抜け止め部材１４の外周縁に沿って環状をなす罠部１８を備え、他端側が被連結物２０に連結されるワイヤー部材２２とを含んで構成され、抜け止め部材１４，１６に、抜け止め部材１４，１６の中心部１４ａ，１６ａから外周縁１４ｂ，１６ｂ方向に複数の切り込み２４，２６を設けることによって複数の分割片２５，２７が形成されていることを特徴とする。【選択図】  図１
2014233221.tif 000002
【特許請求の範囲】
【請求項１】
地面に設けた穴の開口部に覆設される少なくとも１以上の平板状の抜け止め部材と、
一端側に、前記抜け止め部材の外周縁に沿って環状をなす罠部を備え、他端側が被連結物に連結されるワイヤー部材と、
を含んで構成され、
前記抜け止め部材に、該抜け止め部材の中心部から外周縁方向に複数の切り込みを設けることによって複数の分割片が形成されていることを特徴とする害獣捕獲装置。
【請求項２】
前記穴に埋設される筒状部材を備え、該筒状部材の周縁部に前記抜け止め部材が係止されることを特徴とする請求項１に記載の害獣捕獲装置。
【請求項３】
前記複数の分割片における前記抜け止め部材の中心部側が下方に向かって湾曲していることを特徴とする請求項１又は請求項２に記載の害獣捕獲装置。
【請求項４】
２以上の前記抜け止め部材が上下方向に隙間を空けて配設され、上側の前記抜け止め部材と下側の前記抜け止め部材とが各々備える前記切り込みの位置を上下でずらしてあることを特徴とする請求項１から請求項３の何れかに記載の害獣捕獲装置。
【請求項５】
前記抜け止め部材の下方に支持板を備えることを特徴とする請求項１から請求項４の何れかに記載の害獣捕獲装置。
【請求項６】
前記ワイヤー部材が、前記罠部の近傍で分割され、分割された前記ワイヤー部材の連結部に地面固定具を備えることを特徴とする請求項１から請求項５の何れかに記載の害獣捕獲装置。
【発明の詳細な説明】
【技術分野】
【０００１】
本発明は、猪や鹿等の害獣を捕獲するための害獣捕獲装置に関する。
【背景技術】
【０００２】
近年、猪や鹿等の害獣による農作物や森林への被害が深刻となっている。また、人が害獣に襲われる場合も少なくなく、害獣対策が急務となっている。
【０００３】
この害獣対策として、従来は、コイルばねの弾性力を利用したくくり罠が多用されてきた。ワイヤーの先端を環状にして罠部を形成し、この罠部内に設置した何らかの獣足検出手段により獣足を検出することによって、コイルばねの弾性力により罠部を縮径し、獣足をくくり上げるというものである。
【０００４】
また、比較的設置が容易な害獣用の捕獲装置も種々開示されている（例えば、特許文献１及び特許文献２参照。）。特許文献１に係る獣足くくり罠用仕掛筒装置は、獣の踏み込み足が入る上開口を有し、地中に埋め込んで仕掛ける仕掛筒を用いた獣足くくり罠用仕掛筒装置であって、前記仕掛筒の内部に、その筒内に嵌った獣足の荷重が加わる獣足検出線を複数本、隣接する線同士を離して掛け渡し、その各獣足検出線の先端を仕掛筒の前側壁に夫々固定し、更に獣足検出線の後端部を仕掛筒の後側壁に設けた対応する貫通穴を夫々挿通させて外部に引き出し、その各後端付近をまとめて結合し、その後端結合部にくくり罠本体の先端部に設けたくくり部のくくり動作開始用トリガ部材を備え付けることを特徴としている。獣足をくくり上げるための罠部の構造を簡単にし、設置及び管理の容易化を図っている。
【０００５】
また、特許文献２に係る動物捕獲器は、帯状の捕獲ベルトをループ状に曲げて形成した罠部と、罠部が縮径する方向に移動可能な捕獲ベルト結束部と、罠部に張られた捕獲ネットとを備えており、害獣を傷つけることなく捕獲でき、設置後の管理も容易なものとなっている。
【先行技術文献】
【特許文献】
【０００６】
【特許文献１】特開２００８−１７３０１６号公報
【特許文献２】特開平９−３２２６９６号公報
【発明の概要】
【発明が解決しようとする課題】
【０００７】
しかしながら、従来のくくり罠は、使用されるコイルばねの弾性力が強力なため、くくり罠の設置作業は非常に大変であり、危険を伴うものであった。特に、くくり罠の設置場所が山の斜面等の場合、足場が悪いため設置作業は困難を極めた。
【０００８】
また、特許文献１に係る獣足くくり罠用仕掛筒装置において、罠部の設置については容易化が図られているが、従来のくくり罠と同様、コイルばねの弾性力により罠部を縮径し、獣足をくくり上げるというものであるため、従来のくくり罠が抱える問題の解決には至っていない。
【０００９】
更に、特許文献２に係る動物捕獲器によると、コイルばねの弾性力を利用するものではないため、従来のくくり罠に比べて設置時等における安全性は高いと思料するが、その反面、獣足を捕捉できない可能性もあり得る。つまり、従来のくくり罠や特許文献１に係る獣足くくり罠用仕掛筒装置のように弾性力を利用して瞬時に獣足を捕捉するものではないため、捕獲ベルトでくくり上げる前に獣足が抜けてしまう可能性がある。
【００１０】
また、何れの装置も、犬や猫といった捕獲対象以外の動物を誤って捕獲する虞があり、捕獲対象の害獣のみを高確率で捕獲できる捕獲装置が望まれていた。
【００１１】
そこで本願発明者は、上記の問題点に鑑み、コイルばね等の弾性力を不要とすることによって設置時の安全性を高め、且つ装置自体の構成を単純にすることによって設置作業の容易化を図り、更に捕獲対象の害獣のみを高確率で捕獲できる害獣捕獲装置を提供するべく鋭意検討を重ねた結果、本発明に至ったのである。
【課題を解決するための手段】
【００１２】
即ち、本発明の害獣捕獲装置は、地面に設けた穴の開口部に覆設される少なくとも１以上の平板状の抜け止め部材と、一端側に、前記抜け止め部材の外周縁に沿って環状をなす罠部を備え、他端側が被連結物に連結されるワイヤー部材とを含んで構成され、前記抜け止め部材に、該抜け止め部材の中心部から外周縁方向に複数の切り込みを設けることによって複数の分割片が形成されていることを特徴とする。
【００１３】
また、本発明の害獣捕獲装置において、前記穴に埋設される筒状部材を備え、該筒状部材の周縁部に前記抜け止め部材が係止されることを特徴とする。
【００１４】
更に、本発明の害獣捕獲装置において、前記複数の分割片における前記抜け止め部材の中心部側が下方に向かって湾曲していることを特徴とする。
【００１５】
また、本発明の害獣捕獲装置において、２以上の前記抜け止め部材が上下方向に隙間を空けて配設され、上側の前記抜け止め部材と下側の前記抜け止め部材とが各々備える前記切り込みの位置を上下でずらしてあることを特徴とする。
【００１６】
また、本発明の害獣捕獲装置において、前記抜け止め部材の下方に支持板を備えることを特徴とする。
【００１７】
更にまた、本発明の害獣捕獲装置において、前記ワイヤー部材が、前記罠部の近傍で分割され、分割された前記ワイヤー部材の連結部に地面固定具を備えることを特徴とする。
【発明の効果】
【００１８】
本発明の害獣捕獲装置によると、コイルばね等の弾性力を不要とすることによって設置時の安全性を高め、且つ装置自体の構成を単純にすることによって設置作業の容易化が図られる。特に、抜け止め部材を配設することによって、弾性力で瞬時に獣足をくくり上げなくても罠部から獣足が抜けてしまう虞がなく、弾性力を不要とする害獣捕獲装置を提供することが可能となる。
【００１９】
また、本発明の害獣捕獲装置に係る複数の分割片において、抜け止め部材の中心部側を下方に向かって湾曲させることによって、獣足を積極的且つスムーズに抜け止め部材の中心部へと誘導することができ、より確実に獣足を捕捉することが可能となる。
【００２０】
更に、本発明の害獣捕獲装置に係る抜け止め部材を２以上、上下方向に隙間を空けた状態で配設し、上側の抜け止め部材と下側の抜け止め部材とが各々備える切り込みの位置を上下でずらすことによって、抜け止め部材に形成された分割片が良好にしなって獣足を捕捉すると共に、抜け止め部材を獣足から更に抜け難くすることができる。
【００２１】
また、本発明の害獣捕獲装置に係る抜け止め部材の下方に支持板を備えることによって、犬や猫といった捕獲対象以外の動物を誤って捕獲する虞をなくし、捕獲対象の害獣のみを高確率で捕獲できると共に、穴内への土砂の侵入も防止することができる。
【００２２】
更にまた、本発明の害獣捕獲装置に係るワイヤー部材を罠部の近傍で分割し、分割したワイヤー部材の連結部に地面固定具を配設することによって、獣足を捕捉した後、できるだけ速やかに罠部を縮径することが可能となり、害獣をより確実に捕獲することが可能となる。
【図面の簡単な説明】
【００２３】
【図１】本発明の害獣捕獲装置の一実施形態を示す斜視説明図である。
【図２】図１に示した害獣捕獲装置の要部平面図である。
【図３】図２中、Ａ−Ａ線断面図である。
【図４】図２に示した害獣捕獲装置において、（ａ）は上側の抜け止め部材の平面図、（ｂ）は下側の抜け止め部材の平面図、（ｃ）は支持板の平面図である。
【図５】（ａ）は本発明の害獣捕獲装置の他の実施形態を示す要部平面図、（ｂ）は（ａ）におけるＢ−Ｂ線断面図である。
【図６】（ａ）は本発明の害獣捕獲装置の更に他の実施形態を示す要部平面図、（ｂ）は（ａ）におけるＣ−Ｃ線断面図である。
【発明を実施するための形態】
【００２４】
以下、本発明の害獣捕獲装置の実施形態について、図面に基づいて詳述する。
【００２５】
図１は本発明の一実施形態に係る害獣捕獲装置１０の斜視説明図、図２は図１に示した害獣捕獲装置１０の要部平面図、図３は図２に示した害獣捕獲装置１０のＡ−Ａ線断面図、図４は図２に示した害獣捕獲装置１０を構成する主要部材の平面図である。まず図１に示すように、本実施形態の害獣捕獲装置１０は、地面に設けた穴に埋設される筒状部材１２と、筒状部材１２の周縁部に係止される２枚の平板状の抜け止め部材１４，１６と、一端側に、抜け止め部材１４の外周縁に沿って環状をなす罠部１８を備え、他端側が被連結物２０（本実施形態では樹木）に連結されるワイヤー部材２２とを含んで構成されている。
【００２６】
本実施形態に係る上側に位置する抜け止め部材１４には、図２及び図４（ａ）に示すように、抜け止め部材１４の中心部１４ａから外周縁１４ｂ方向に複数の切り込み２４を放射状に設けることによって、略三角形状をなす複数の分割片２５が形成されている。
【００２７】
また、図４（ｂ）に示すように、本実施形態に係る下側に位置する抜け止め部材１６にも、抜け止め部材１４と同様に、抜け止め部材１６の中心部１６ａから外周縁１６ｂ方向に複数の切り込み２６を設けることによって複数の分割片２７が形成されている。
【００２８】
更に、これらの抜け止め部材１４，１６に係る複数の分割片２５，２７は、図３に示すように、抜け止め部材１４，１６の中心部１４ａ，１６ａ側、換言すれば分割片２５，２７の先端側が、下方に向かって湾曲している。従って、抜け止め部材１４，１６の中心部１４ａ，１６ａには開口が形成されることとなる。
【００２９】
そして、図２及び図３に示すように、抜け止め部材１４，１６は、上側に位置する抜け止め部材１４の切り込み２４を設けた位置と、下側に位置する抜け止め部材１６の切り込み２６を設けた位置とを上下でずらした状態で、抜け止め部材１４，１６間に隙間を空けた上で筒状部材１２の周縁部に備える段部２８によって係止されている。なお、抜け止め部材１４，１６間に隙間を空ける方法は特に限定されず、例えば図３に示すように、抜け止め部材１４，１６間にスペーサー１９を介在させることによって、容易に抜け止め部材１４，１６間に所望の隙間を空けることができる。
【００３０】
更に、本実施形態の害獣捕獲装置１０では、下側に位置する抜け止め部材１６の下方に支持板３０が配設されており、筒状部材１２の周縁部に備える段部３１によって係止されている。支持板３０の形状は特に限定されないが、図２及び図４（ｃ）に示すように、抜け止め部材１４，１６の中心部１４ａ，１６ａに形成される開口を塞ぐことができれば、段部３１によって係止される部分は少ない方が好ましい。
【００３１】
本実施形態に係るワイヤー部材２２には、図２及び図３に示すように、その一端側に抜け止め部材１４の外周縁に沿って環状をなす罠部１８が形成されている。一端側の端部には、罠部１８が縮径する方向にのみワイヤー部材２２が移動できるような機構を備える公知のワイヤー挿通具３２が取り付けられており、ワイヤー挿通具３２が備える挿通部３３にワイヤー部材２２の他端側を挿通することによって環状の罠部１８を形成している。また、抜け止め部材１４の周縁部上面には、ワイヤー部材２２を係止するための係止具３４が幾つか配設されており、この複数の係止具３４にワイヤー部材２２を係止することによって、抜け止め部材１４の外周縁に沿って形成される罠部１８の環状を維持している。なお、罠部１８の径は、抜け止め部材１４の外周縁の径より小さくなるように設定されている。
【００３２】
更に、ワイヤー部材２２は、罠部１８の近傍で分割され、分割されたワイヤー部材２２の連結部３５に地面固定具３６を備えている。
【００３３】
以上の構成から成る本実施形態の害獣捕獲装置１０によると、以下の要領で害獣を捕獲することができる。まず、害獣捕獲装置１０の設置は、設置箇所に所定の穴を掘り、筒状部材１２を埋設する。そして、筒状部材１２内の段部３１によって支持板３０を係止し、その上に下側の抜け止め部材１６、スペーサー１９、上側の抜け止め部材１４の順で、抜け止め部材１４，１６が備える切り込み２４，２６の位置をずらした状態で、筒状部材１２内の段部２８により抜け止め部材１６，１４を係止する。最後に、ワイヤー部材２２の一端側に形成した環状の罠部１８を抜け止め部材１４が備える係止具３４に係止させ、罠部１８の近傍の地面に地面固定具３６を固定し、他端側を被連結物２０である樹木に連結することによって害獣捕獲装置１０の設置作業は完了である。
【００３４】
そして、捕獲対象となる害獣の獣足が罠部１８内の抜け止め部材１４上に載ると、湾曲した分割片２５によって獣足を積極的に抜け止め部材１４の中心部１４ａ方向へと誘導する。支持板３０は害獣の自重によって段部３１との係止状態が解除され、筒状部材１２内へと落下し、それと同時に獣足も筒状部材１２内へ落ちる。この時点で、獣足には環状の罠部１８、２枚の抜け止め部材１４，１６が上からこの順で嵌っている。従って、害獣が逃げようとしてワイヤー部材２２を引っ張ると、罠部１８は縮径して更に逃げることが不可能となる。また、罠部１８の径より抜け止め部材１４，１６の径が大きいため、従来であれば獣足が罠部１８から抜け出してしまうような場合でも、抜け止め部材１４，１６が罠部１８の抜け止めとして機能するため、罠部１８から獣足が抜け出ることを有効に防止できる。
【００３５】
また、害獣に比べて体重が比較的軽い犬や猫等の動物が抜け止め部材１４上に誤って載った場合は、支持板３０によって犬等の足が筒状部材１２内に落ちることを防止できる。つまり、捕獲対象以外の動物を誤って捕獲する虞をなくし、捕獲対象の害獣のみを高確率で捕獲できる。
【００３６】
以上のように、本発明の実施形態に係る害獣捕獲装置１０によると、設置作業が非常に簡単であり、また従来のようにコイルばね等の弾性力を不要とすることができるため、設置時の安全性を高めることができる。特に、抜け止め部材１４，１６を配設することによって、弾性力で瞬時に獣足をくくり上げなくても罠部１８から獣足が抜けてしまう虞がなく、弾性力を不要とする害獣捕獲装置１０を提供することができる。
【００３７】
また、抜け止め部材１４，１６を上下方向に隙間を空けて配設し、抜け止め部材１４，１６に係る切り込み２４，２６の位置を上下でずらして配設することによって、抜け止め部材１４，１６に形成された分割片２５，２７が良好にしなって獣足を捕捉すると共に、抜け止め部材１４，１６を獣足から更に抜け難くすることができる。。
【００３８】
更に、抜け止め部材１４，１６の下方に支持板３０を配設することによって、捕獲対象以外の動物を誤って捕獲する虞をなくし、捕獲対象の害獣のみを高確率で捕獲できると共に抜け止め部材１４，１６の中心部１４ａ，１６ａに形成される開口を塞ぐことができるため、筒状部材１２内への土砂の侵入も防止することができる。
【００３９】
また、ワイヤー部材２２を罠部１８の近傍で分割し、分割したワイヤー部材２２の連結部３５に地面固定具３６を配設することによって、獣足を捕捉した後、できるだけ速やかに罠部を縮径することが可能となり、害獣をより確実に捕獲することが可能となる。
【００４０】
以上に例示した本発明の実施形態に係る害獣捕獲装置１０は、本発明の技術的思想を実質的に限定するものと解してはならない。つまり、本発明の一実施形態に係る害獣捕獲装置１０は、地面に設けた穴に埋設される筒状部材１２を含んで構成され、筒状部材１２の周縁部に抜け止め部材１４，１６及び支持板３０を係止していたが、例えば、地面に設けた穴の開口部を覆って抜け止め部材を配設することが可能であれば、本発明の害獣捕獲装置において筒状部材を必ずしも備えておく必要は無い。抜け止め部材の形状に合わせて穴を設け、この穴の開口部周縁に抜け止め部材等を係止させることによって、筒状部材が無くても、害獣を捕獲することができる。
【００４１】
また、例えば図５に示す本発明の他の実施形態に係る害獣捕獲装置１０ａのように、少なくとも抜け止め部材１４を１枚備えていれば、抜け止め部材１６や支持板３０を必ずしも備えておく必要は無い。この害獣捕獲装置１０ａによっても、罠部１８からの獣足の抜け出しを抜け止め部材１４によって防止することができる。
【００４２】
また、本発明の害獣捕獲装置に係る抜け止め部材の態様も上述した態様に限定されず、例えば図６に示す本発明の更に他の実施形態に係る害獣捕獲装置１０ｂのように、抜け止め部材１７に係る切り込み３７が、抜け止め部材１４，１６に係る放射状の切り込み２４，２６と異なり、抜け止め部材１７の中心部１７ａから外周縁１７ｂ方向に向かって直線的に形成され、角形をなす分割片３８が形成されてもよい。更に、この分割片３８の先端部を下方に向かって湾曲させることによって、獣足を積極的且つスムーズに筒状部材１２内へと誘導することができる。
【００４３】
更に、本発明の害獣捕獲装置に係る筒状部材及び抜け止め部材の外形は円形に限定されず、多角形や楕円形等であってもよく、本発明はその要旨を逸脱しない範囲で、当業者の創意と工夫により、適宜に改良、変更又は追加をしながら実施できる。
【符号の説明】
【００４４】
１０，１０ａ，１０ｂ：害獣捕獲装置
１２：筒状部材
１４，１６，１７：抜け止め部材
１４ａ，１６ａ，１７ａ：抜け止め部材の中心部
１４ｂ，１６ｂ，１７ｂ：抜け止め部材の外周縁
１８：罠部
１９：スペーサー
２０：被連結物
２２：ワイヤー部材
２４，２６，３７：切り込み
２５，２７，３８：分割片
２８，３１：段部
３０：支持板
３２：ワイヤー挿通具
３３：挿通部
３４：係止具
３５：連結部
３６：地面固定具
【図４】
2014233221.tif 000003
【図５】
2014233221.tif 000004
【図６】
2014233221.tif 000005
【図１】
2014233221.tif 000006
【図２】
2014233221.tif 000007
【図３】
2014233221.tif 000008